(57)【特許請求の範囲】
【請求項１】
拡散限定区域と非拡散限定区域を有する器具を滅菌する方法であって、前記方法は、
前記拡散限定区域を第一の濃度の過酸化水素溶液である第一の液体滅菌剤溶液に接触させる工程と、
前記器具を滅菌チャンバ内に配置する工程と、
前記第一の濃度よりも高い第二の濃度の過酸化水素溶液である第二の液体滅菌剤溶液を前記拡散限定区域の外の前記滅菌チャンバ内に導入する工程と、
前記チャンバの圧力を下げて、前記第一の液体滅菌剤溶液及び第二の液体滅菌剤溶液を蒸発させて、前記器具の前記拡散限定区域と前記非拡散限定区域を滅菌する工程を含む方法。
【請求項２】
前記第一の液体滅菌剤溶液の過酸化水素濃度が２０％より低い請求項１に記載の方法。
【請求項３】
前記第一の液体滅菌剤溶液の過酸化水素濃度が１０％より低い請求項２に記載の方法。
【請求項４】
前記第二の液体滅菌剤溶液の過酸化水素濃度が４０％より高い請求項１に記載の方法。
【請求項５】
前記第二の液体滅菌剤溶液の過酸化水素濃度が５５％より高い請求項４に記載の方法。
【請求項６】
前記チャンバ内の圧力を、初めに前記第二の液体滅菌剤溶液を選択的に蒸発させる第一の圧力範囲まで下げ、その後さらに、前記第一の液体滅菌剤溶液を蒸発させる第二のより低い圧力範囲まで下げる請求項１に記載の方法。
【請求項７】
前記チャンバ内の圧力を第二の液体滅菌剤溶液の蒸気圧より低い圧力まで下げる請求項１に記載の方法。
【請求項８】
前記チャンバ内の圧力を２０トル以下まで下げる請求項７に記載の方法。
【請求項９】
前記チャンバ内の圧力を１０トル以下まで下げ、前記第一の液体滅菌剤溶液の過酸化水素濃度が１０％より低く、前記第二の液体滅菌剤溶液の過酸化水素濃度が４５％より高い請求項８に記載の方法。
【請求項１０】
前記第一の濃度及び第二の濃度が、前記第一の液体滅菌剤溶液及び第二の液体滅菌剤溶液を同時に蒸発させる単一の圧力範囲までチャンバ圧力を下げることができるように、選択される請求項１に記載の方法。
【請求項１１】
前記単一の圧力範囲が第二の液体滅菌剤溶液の蒸気圧より低い請求項１０に記載の方法。
【請求項１２】
前記単一の圧力範囲が２０トル以下である請求項１１に記載の方法。
【請求項１３】
前記器具が医療器具であり、前記拡散限定区域が管を含む請求項１に記載の方法。
【請求項１４】
前記拡散限定区域を液体滅菌剤溶液に接触させる工程は、前記拡散限定区域の内側で蒸気から前記液体滅菌剤溶液を凝縮する工程を含む請求項１に記載の方法。
【請求項１５】
前記拡散限定区域を液体滅菌剤溶液に接触させる工程は、前記液体滅菌剤溶液の霧を前記拡散限定区域内に流す工程を含む請求項１に記載の方法。
【請求項１６】
さらに、前記拡散限定区域を第一の液体滅菌剤溶液と接触させ、前記器具を滅菌チャンバに配置する工程の後であるが、前記圧力を下げて前記第一の液体滅菌剤溶液及び第二の液体滅菌剤溶液を蒸発させる工程の前において、前記滅菌チャンバに空気を流して、過剰な前記第一の液体滅菌剤溶液を除く工程を含む請求項１に記載の方法。
【請求項１７】
さらに、前記蒸発工程の後に、過酸化水素をプラズマに励起させる工程を含む請求項１に記載の方法。
【請求項１８】
前記第一の液体滅菌剤溶液を蒸発させた後に、前記チャンバ圧力を上昇させ、その後に圧力を下げて第二の液体滅菌剤溶液を前記チャンバに導入する請求項１に記載の方法。
【発明の詳細な説明】
【０００１】
【発明の属する技術分野】
本発明は、液体滅菌剤を用いた医療器具の滅菌方法に関する。特に、本発明は、異なる濃度を有する２つの異なる過酸化水素溶液を蒸発させて滅菌する方法に関する。
【０００２】
【従来の技術および発明が解決しようとする課題】
従来、医療器具は、スチームなどの熱、気体又は蒸気状態のホルムアルデヒド又はエチレンオキサイドなどの化学物質により滅菌している。これらの方法の各々には欠点がある。ファイバーオプティックス器具、内視鏡、電気器具などの多くの医療器具は、熱、水分又はその両方に弱い。ホルムアルデヒドとエチレンオキサイドは両方とも有毒ガスであり、ヘルスケア従事者に危険をもたらす恐れがある。エチレンオキサイドを使用すると、滅菌した物品からガスを除くのに長い通気時間が必要となるため、エチレンオキサイドの問題は実際に深刻である。このことは滅菌時間を不都合に長くする。
【０００３】
液体過酸化水素溶液を用いた滅菌には高濃度の滅菌剤、長い曝露時間及び／又は高温が必要であることが見出された。しかし、過酸化水素蒸気を用いた滅菌は、他の化学滅菌方法（米国特許第４，１６９，１２３号と同第４，１６９，１２４号を参照）に比べ幾つか利点がある。過酸化水素とプラズマの組み合わせは、米国特許第４，６４３，８７６号に示されるように追加の利点がある。細長い管(lumens)などの拡散限定区域を含む物品の滅菌は特に困難である。過酸化水素の水溶液から生じた過酸化水素蒸気を用いる方法は、幾つかの欠点を有する。１つの欠点は、水が過酸化水素より高い蒸気圧を有するため水がより速く蒸発することである。他の欠点は、水の分子量が小さいため蒸気状態で過酸化水素より速く拡散することである。これらの性質により、過酸化水素の水溶液を滅菌する物体を囲む区域で蒸発させると、水が初めに高濃度で物体に達する。従って、水蒸気が過酸化水素蒸気が細長い管や小さな割れ目などの拡散限定区域に入るバリアとなる。水溶液から水を除き、より濃縮した過酸化水素を用いることは他にも理由があるが、特に、６５重量％より高い濃度の過酸化水素溶液は酸化力のため危険であるので、この問題に対処することはできない。
【０００４】
米国特許第４，９５２，３７０号は、初めに、滅菌する物品上で水性過酸化水素蒸気を凝縮させ、次に滅菌チャンバを真空にして物品から水と過酸化水素を排出する滅菌方法を示している。この方法は面の滅菌に適しているが、滅菌効果が過酸化水素蒸気の管内への拡散に依存するため、細長い管のような拡散限定区域の滅菌には適していない。
【０００５】
米国特許第４，９４３，４１４号は、少量の蒸発可能液体滅菌剤溶液を含む容器を管に接続し、滅菌サイクルの間圧力を下げて滅菌剤を蒸発させ、物品の管内に直接流す方法を示している。このシステムは、圧力差を存在させて水と過酸化水素蒸気を管を通して引き、管の滅菌速度を高めるという利点を有するが容器を滅菌する各管に接続する必要があるという欠点を有する。さらに、水がより速く蒸発し、過酸化水素蒸気よりも先に管内に入る。
【０００６】
米国特許第５，４９２，６７２号には、細い管の滅菌方法が示されている。この方法は多数成分の滅菌剤蒸気を使用し、滅菌剤蒸気の流出期間を継続して変えることとこのような流れを停止することが必要である。この方法を実施するのには複雑な装置を用いる。蒸気の通り抜ける流れを使用するので端の閉じた管は、この方法では速やかに滅菌されない。
【０００７】
従って、細長い管のように蒸気の拡散(diffusion)が限定される区域を有する物品を、簡単で効果的に蒸気滅菌する方法が望まれている。
【０００８】
【課題を解決するための手段】
本発明による、拡散限定区域と非拡散限定区域を有する器具を滅菌する方法は、拡散限定区域を第一の濃度の第一の液体滅菌剤溶液に接触させる工程、器具を滅菌チャンバ内に配置する工程、第一の濃度よりも高い第二の濃度の第二の液体滅菌剤溶液を拡散限定区域の外の滅菌チャンバ内に導入する工程、チャンバの圧力を下げて、第一の液体滅菌剤溶液及び第二の液体滅菌剤溶液を蒸発させ、器具の拡散限定区域と非拡散限定区域を滅菌する工程を含む。
【０００９】
好ましくは、第一の液体滅菌剤溶液及び第二の液体滅菌剤溶液の両方が、純粋な過酸化水素と水溶液又は過酢酸溶液などの過酸化水素と水を含む。好ましくは、第一の液体滅菌剤溶液の過酸化水素濃度は２０％より低く、より好ましくは１０％より低い。第二の液体滅菌剤溶液の過酸化水素濃度は４０％より高くてもよく、さらに５５％より高くてもよい。
【００１０】
チャンバ内の圧力を、初めに第二の液体滅菌剤溶液を選択的に蒸発させる第一の圧力範囲まで下げ、その後さらに、第一の液体滅菌剤溶液を蒸発させる第二のより低い圧力範囲まで下げることができる。好ましくは、チャンバ内の圧力を第二の液体滅菌剤溶液の蒸気圧より低い圧力まで下げ、より好ましくは２０トル以下まで下げる。
【００１１】
１つの特に好ましいパラメーター設定では、第一の液体滅菌剤溶液の過酸化水素濃度が１０％より低く、第二の液体滅菌剤溶液の過酸化水素濃度が４５％より高い。好ましくは、第一の濃度及び第二の濃度は、第一の液体滅菌剤溶液及び第二の液体滅菌剤溶液を同時に蒸発させる単一の圧力範囲までチャンバ圧力を下げることができるように選択される。
【００１２】
特にこの方法は、拡散限定区域が管を含む医療器具などの器具を滅菌するのに適している。
拡散限定区域を液体滅菌剤溶液に接触させる工程は、拡散限定区域の内側で蒸気から液体滅菌剤溶液を凝縮する工程を含んでもよい。別の方法では、この工程は液体滅菌剤溶液の霧を拡散限定区域内に流す工程を含んでもよい。
【００１３】
好ましくは、拡散限定区域を第一の液体滅菌剤溶液と接触させ、器具を滅菌チャンバに配置する工程の後であるが、圧力を下げて第一の液体滅菌剤溶液及び第二の液体滅菌剤溶液を蒸発させる工程の前において、滅菌チャンバに空気を流して過剰な第一の液体滅菌剤溶液を除く。
【００１４】
蒸発工程の後に、過酸化水素をプラズマに励起させてもよい。また、第一の液体滅菌剤溶液を蒸発させた後に、空気をチャンバ内に入れるなどしてチャンバ圧力を上昇させ、その後に圧力を下げて第二の液体滅菌済溶液をチャンバに導入してもよい。
【００１５】
【発明の実施の形態】
管状器具の内側の滅菌は、滅菌システムにとって常に課題であった。出願人の係属中の米国特許出願第０８／６２８，９６５号（内容は全てここに援用する）は、細長い管のように拡散が限定される環境での過酸化水素蒸気滅菌方法を示しており、真空に曝す前に過酸化水素の希釈溶液で滅菌対象物品を前処理し、過酸化水素の蒸気圧より低い圧力で滅菌する。１つの可能な方法は、拡散が限定された真空チャンバを作製し、そのチャンバ内で液体滅菌剤を蒸発させることである。しかし、拡散限定区域の大きさと滅菌する圧力によっては、システムを真空にするのに時間がかかりすぎる。管状器具又は他の拡散限定物品を低温で低い濃度の滅菌剤で迅速に滅菌することは、より困難な課題である。
【００１６】
本発明の方法に使用する装置の概略が図１及び図２に示されており、この装置はチャンバ２、スロットルバルブ４及びポンプ６を有する。図２に示すように、チャンバ２はスロットルバルブ４によりポンプ６に接続する。バルブ４をコントロールして、自動的に圧力を維持することも、手動で一定のポンプダウン速度を維持することもできる。操作の自動モードでは、スロットルバルブ４はチャンバ内圧力に基づき圧力変換器とバルブコントローラにより開く。このようなバルブは、例えばＭＫＳ社（Andover，メリーランド州）から市販されている。この方法では、過酸化水素の希釈水溶液を図１に示す窪み(wells)８に入れる。滅菌チャンバ２の圧力が下がると、過酸化水素は蒸発し、トレイ１４の上に置かれた金属格子１２上にある滅菌対象面（即ち、図１の結腸鏡１０）に接触する。好ましい実施形態ではトレイは複数の窪みを有する構造で、既知量の液体滅菌剤を保持できる。一実施形態では、滅菌チャンバ２の体積は約１８．５リットルで、寸法は約２２”（５５．９ｃｍ）×４．２５”（１０．８ｃｍ）×１２”（３０．５ｃｍ）である。
【００１７】
過酸化水素は液体としてチャンバ内に導入できる。好ましい実施形態では、過酸化水素は蒸気で導入し、滅菌対象の物品の面で液体に凝縮するようにチャンバパラメータを変える。このような変化には圧力増加も含まれる。
【００１８】
過酸化水素溶液と接触するのでなく、低温で真空下短時間過酸化水素に曝露して滅菌されるので過酸化水素水溶液は比較的薄く、例えば過酸化物が１重量％乃至６重量％と低くできる。本発明の方法は、接近できない又は到達することが困難な部分のある物品に特に有効である。このような物品には、細長い管、ヒンジ又は蒸気の拡散が限定される空間を有する他の物品がある。この実施例では過酸化水素を使用するが他の液体滅菌剤も使用できる。好ましい滅菌剤は、それが加えられる溶媒の蒸気圧より低い蒸気圧を有する。このような滅菌剤の例には水性過酢酸溶液と水性グルタルアルデヒド溶液がある。
【００１９】
この方法の終わりに、残存滅菌剤を除くために高い真空をかけることができる。残存滅菌剤を除き滅菌効率を高めるためにプラズマを用いることもできる。
本発明の方法を以下に述べる。本発明は、拡散限定物品の内部でなく外部を滅菌するためには異なる圧力を用いるのが最適であるという我々の発見によりもたらされた。ここで使用する「拡散限定(diffusion-restricted)」区域とは、以下の性質の１以上を示すものをいう。（１）本発明の滅菌システムに配置された物品が、４０℃および１０トルで１時間後に０．１７ｍｇ／Ｌ以上の過酸化水素溶液を保持できる区域の能力、（２）内径９ｍｍ以下で長さ１ｃｍ以上の１つの出入口によりもたらされるのと同等又はそれ以上の拡散限定を有すること、（３）長さが２７ｃｍで内径が３ｍｍの管によりもたらされるのと同等又はそれ以上の拡散限定を有すること、（４）長さの内径に対する比が５０より大きい管によりもたらされるのと同等又はそれ以上の拡散限定を有すること、（５）本発明の滅菌システム内に配置された物品が４０℃および１０トルで１時間後に１７％以上の過酸化水素溶液を保持できる能力、（６）本発明により、４０℃および１０トルの真空で１時間、１ｍｍ×５０ｃｍのステンレス鋼出口チューブとゴムストッパーを有する２．２ｃｍ×６０ｃｍのガラスチューブ内で、ステンレス鋼ブレードを完全に滅菌できるほどの拡散限定であることである。特性（１）および特性（５）は物品に導入される過酸化水素の最初の濃度により変わるが、当業者は容易に決定できるであろう。
【００２０】
外部の滅菌
種々の圧力における、６％過酸化水素溶液から生じる過酸化水素蒸気による滅菌対象の物品の外面への滅菌効力を評価するために、２．３×１０6 の脂好熱桿菌(Bacillus stearothermophilus(Bst))胞子からなる生物学的攻撃を、カバーしてないペトリ皿又はＣＦ１０結腸鏡(Olympus)の挿入チューブに置いた。滅菌サイクルごとに４つの外科用メスのブレードを使用し、２つをペトリ皿に、２つを結腸鏡に使用した。チャンバーの温度は４５℃であった。自動モードでバルブをコントロールして、圧力は２００トル乃至１トルで変化した。図１に示すように、６％過酸化物を５０滴、２４００μＬ用いた。ブレードを取り出し、滅菌状態をテストした。テストの結果を接種したテストブレードの数に対する、処置後でも汚染したままである接種したブレードの数の比として表１に示した。
【００２１】
【表１】
0004302237.tif 000002
【００２２】
表に示すように、圧力が低すぎると（５トル以下）過酸化物の大部分は速やかに蒸発し、排気中に除かれる。従って、ほとんどの過酸化水素はブレードの滅菌に使用されない。テスト条件では、５分間の最適圧力は約４０トル乃至５０トルである。１０分間曝露するときは、約２００トルまでの圧力で滅菌できる。圧力が高くなると過酸化物の蒸発に時間がかかる。これらの条件下で過酸化水素の蒸気圧は約８０トル乃至９０トルであるので、過酸化水素の蒸気圧より高い圧力でも滅菌可能である。挿入チューブのブレードは、挿入チューブが過酸化物を吸収しやすくブレードの滅菌用にはほとんど残らないので、システムにおいて最も滅菌が困難な部分を模擬したものと言える。
【００２３】
大気圧でも、物品の外部は効率良く滅菌できる。このことを確認するために、２つの外科用メスブレードを各々２．３×１０6 Ｂｓｔ胞子で接種し（滅菌サイクルごとに２つのＳＳブレード）、カバーのないペトリ皿に置き、チャンバー内に入れ、大気圧６０℃で６％過酸化水素の５０μＬ／滴の４８滴に曝した。この条件下で３０分曝して両方のブレードを滅菌した。
【００２４】
内部滅菌
滅菌対象の物品の内面における液体／蒸気プロセスの効力を測定するために、Ｂｓｔ胞子を含むポリテトラフルオロエチレン（ＰＴＦＥ）管を用いた。管の長さ、内径及び滅菌の際の管内の過酸化物の量の効果について調べた。ＰＴＦＥ管には管の中央にステンレス鋼片(coupon)を載せた。ステンレス鋼クーポンは、約２ｍｍ×４ｍｍの寸法を有するブレードの近位端から切り取ったメスブレードの一部からなる。滅菌パラメータは以下の通りであった。４５℃，６％の過酸化物の５０μＬ／滴を４８滴、クーポン毎に８．８×１０5 Ｂｓｔ及び１０分間の曝露した。過酸化物は管には存在しないか、又はクーポンから１ｃｍ以上離れた管の両側に存在していた。管の長さは２０ｃｍ，５０ｃｍ，１００ｃｍ又は２００ｃｍであった。管の内径は２．３８ｍｍ又は４．７６ｍｍであった。管内に追加の過酸化物を含まない管についての結果を表２に示す。
【００２５】
【表２】
0004302237.tif 000003
【００２６】
過酸化物は管内に存在してなかったので、管滅菌用の過酸化物源は管の外側（例えば、滅菌チャンバ内にある窪み）のみからであったといえる。従って、器具の外側から内側への過酸化物蒸気の拡散が必要である。表２に示すように、これらのパラメータではテストした最も短い管（２０ｃｍ）と最も高い圧力（３０トル及び５０トル）のみで滅菌がなされた。圧力が低すぎると、過酸化物蒸気は外側から内側へ拡散する。従って、低い圧力では大部分がチャンバから除かれるため、ほとんど過酸化物は存在しない。管内に過酸化水素が無ければ、過酸化物蒸気は外側から内側へ流れるので短い管だけが高圧で滅菌できる。長い管の中心には、外部源から拡散する過酸化物蒸気は到達できなかった。
【００２７】
【表３】
0004302237.tif 000004
【００２８】
追加の過酸化物を含む管についての結果を表３に示す。過酸化物をクーポン（片）から約１ｃｍ離れて両側に配置した。この方法は管内にあるクーポンを滅菌するのにかなり効果的であった。２．３８ｍｍ内径管では、長さが２０ｃｍの管は３０トル及び５０トルで胞子を含んでいたが、前記の表では同じ条件で胞子は存在しなかった。この結果をいかなる説明と結びつけようとは願わないが、この結果は、過酸化物が外側から内側へ拡散するのを防ぐ追加の水蒸気が存在していたためと考えられる。４．７６ｍｍチューブは十分大きく、過酸化物が外側から内側へ拡散するのが妨げられない。管が十分大きいので５０トルで滅菌できる。５トルと１０トルの圧力は、管内にテストサンプルのある管内で過酸化水素について、一定の良好な滅菌効果結果をもたらす。従って、４５℃のテスト条件下で、物品内部の過酸化水素滅菌の最適圧力（５トル乃至１０トル）は物品外部の滅菌の最適圧力（４０トル乃至５０トル）とは異なる。
【００２９】
曝露時間、管の内径、過酸化物量及び過酸化物とクーポンの間の距離の効果について他の実験により検討した。圧力は５トルでテフロン管の長さは２００ｃｍであった。
【００３０】
【表４】
0004302237.tif 000005
【００３１】
表４に示すように、過酸化物源をクーポンから１ｃｍ，１０ｃｍ又は２０ｃｍの所へ設置しても効果的な滅菌がなされた。１つの例外は、曝露時間５分、内径２．３８ｍｍ，２×５．０μＬ過酸化物であった。これは、過酸化物が細い管内に接近するのを妨げる水の蒸気による可能性がある。小さな管は過酸化物溶液をより多く蒸発させるのにより長い時間を要する。
【００３２】
２ステッププロセス
拡散限定物品の内側と外側を滅菌するのに最適圧力が異なる点から、物品の内側と外側の両方を速やかに滅菌する２ステッププロセスを開発した。温度、過酸化水素の濃度と量により、第一のステップは、高くて大気圧、低くて約２０トルの第一の圧力範囲で実施される。第二の圧力範囲は一般に１トル乃至約３０トル、好ましくは約５トル乃至約１０トルである。好ましい実施形態では、２ステッププロセスで第一の圧力範囲または第二の圧力範囲に達したら、ポンプとチャンバの間のバルブを閉じ、過酸化物を蒸発させて圧力を上げる。他の実施形態では、範囲の高い端の圧力から始まりチャンバを徐々に排気して第一の圧力範囲又は第二の圧力範囲にする（即ち、第一の圧力及び第二の圧力は線状に維持されない）。所望により、第一の排気ステップを急速に実施して、非常に低い圧力（０．１トル乃至５トル）で凝縮した残存過酸化水素を除いてもよい。この目的のために、又は滅菌プロセスを補助するためにプラズマも使用できる。
【００３３】
第一の圧力範囲及び第二の圧力範囲の各々での滅菌の間、チャンバへのバルブはチャンバ圧力をコントロールして一定に保つように設定できる。別の方法では、より好ましくはバルブを閉じ、滅菌剤が蒸発してチャンバ内の圧力が上昇することを可能にする。圧力上昇を可能にすることにより、滅菌対象物品に追加の滅菌剤蒸気が接触できるようになる。さらに他の実施形態では、たとえより遅い速度であってもチャンバ圧力が減少し続けるように設定できる。
【００３４】
別の方法では、一つの濃度の過酸化水素溶液を用いて管の内部と外部で過酸化水素溶液を選択的に蒸発させるために異なる気化圧を用いるのではなく、管内で低い濃度の過酸化水素溶液を管の外で高い濃度の過酸化水素溶液を用いること、好ましくは単一の気化圧を用いることができる。例えば、５０％過酸化水素溶液を管又は拡散限定区域の外のチャンバ内に入れ、６％過酸化水素溶液を管及び拡散限定区域の中へ入れることができる。これらの濃度には１０トルの単一の気化圧が良い結果をもたらす。異なる濃度を用いると、上記の二重圧力方法においてすら、滅菌サイクルの気化部分のスピードが非常に速まり器具の滅菌に必要な全体の時間が短くなる。当然、異なる濃度の滅菌剤を蒸発させるのに１以上の圧力を用いることができ、また減圧速度を変えてチャンバ内圧力をコントロールすることもできる。また、拡散限定区域の内側と外側で滅菌剤を蒸発させる時間を最短としながら、過酸化水素の蒸発を最少のロスで最適化するようにチャンバ内圧力をコントロールできる。
【００３５】
以下の実施例は、細長い管を迅速に滅菌する本発明の方法の有効性を示す。
オリンパスブランドモデルＣＦ１０結腸鏡挿入チューブの滅菌効力における圧力、曝露時間及び過酸化水素濃度の効果を測定するために実験を行った。脂好熱桿菌胞子で接種したステンレス鋼ブレードを有する生物学的インジケーター（ＢＩ）を結腸鏡の挿入チューブの頂上に置いた。結腸鏡をアルミニウムトレイの上に置き、５０％過酸化水素／水溶液１，０００μＬをトレイに入れた。トレイ、過酸化水素溶液及び結腸鏡を温度が４５℃のチャンバ内に入れ、チャンバの圧力を下げ、過酸化水素溶液を蒸発させた。
【００３６】
【表５】
実験条件
チャンバ温度：４５℃
ＢＩの位置：結腸鏡の挿入チューブの上
ＢＩ：ＳＳブレード上の１．３×１０6 脂好熱桿菌(B. stearothermophilus)
過酸化物濃度：５０％
過酸化物分配：アルミニウム皿に１滴
0004302237.tif 000006
【００３７】
【表６】
実験条件
チャンバ温度：４５℃
ＢＩの位置：結腸鏡の挿入チューブの上
ＢＩ：ＳＳブレード上の１．３×１０6 脂好熱桿菌(B. stearothermophilus)
過酸化物濃度：５０％
過酸化物量：アルミニウム皿に１０００μＬ
0004302237.tif 000007
【００３８】
【表７】
実験条件
ＢＩの位置：結腸鏡の挿入チューブの上
ＢＩ：ＳＳブレード上の１．３×１０6 脂好熱桿菌(B. stearothermophilus)
過酸化物濃度：５０％
過酸化物量：アルミニウム皿に１０００μＬ
曝露時間：５分
0004302237.tif 000008
【００３９】
これらの研究結果は、圧力が低すぎると滅菌プロセスを妨げる恐れのあることを示している。チャンバ内の空気を排気し、過酸化水素溶液を蒸発させるのに必要な圧力より低くなると、すでに蒸発した過酸化水素の一部がチャンバ内から排気され、器具（この場合結腸鏡の挿入チューブの外部）を滅菌する過酸化水素蒸気の量が少なくなる。
【００４０】
蒸気圧は濃度によって変わり、過酸化水素溶液の濃度が高くなるほど、過酸化水素が蒸発するのに必要な圧力が低くなる。内視鏡管のような拡散限定環境において、拡散が限定されていることはこの問題をさらに大きくし、過酸化水素を管内で適切に蒸発させ拡散させるために管の外部に使用するのと同じ濃度の過酸化水素で管の内部を前処理するときは、チャンバを他の場合で望ましい圧力よりも低い圧力までポンプ引きしなければならない。しかし、過酸化水素溶液の濃度を低くすると過酸化水素の蒸気圧が高くなるため、管又は拡散限定部内では、管の外部に使用するものより低い濃度の過酸化水素溶液を使用できる。以下の表は管の外部に５０％の過酸化水素溶液を使用し、管の内部に６％の過酸化水素溶液を使用した実験の結果を示す。
【００４１】
図３は、長さが交互に２０ｃｍおよび２５ｃｍのテフロンチューブ１０２の９個のセグメントからなるテスト管１００の構造を示す図である。チューブ長１０２はラテックスチューブ１０４のセグメントと接続していた。図示するように、過酸化水素の滴１０６と生物学的インジケーター（ＢＩ）１０８をテスト管１００内に分配した。
【００４２】
【表８】
実験条件
（Ａ）外部
ＢＩの位置：結腸鏡の挿入チューブの上
ＢＩ：ＳＳブレード上の１．５×１０6 脂好熱桿菌(B. stearothermophilus)
過酸化物濃度：５０％
過酸化物量：アルミニウム皿に１０００μＬで１滴
（Ｂ）内部
ＢＩの位置：３ｍｍ×２ｍテフロンチューブ内
ＢＩ：ＳＳワイヤ上の１．５×１０6 脂好熱桿菌(B. stearothermophilus)
過酸化物濃度：６％
過酸化物量：テフロンチューブに１μＬ／滴で１６滴
（Ｃ）曝露時間：５分
（Ｄ）チャンバ温度：５０℃
0004302237.tif 000009
【００４３】
実際、本発明の方法は内視鏡などの管状器具を洗浄し滅菌する一体化された洗浄滅菌装置と組み合わせて実施するとき、非常に有用となる。内視鏡の洗浄機械は当業者に知られている。１つの特に効果的な方法と装置が、本出願人の係属中の１９９７年８月２１日出願の米国特許出願第０８／９１５，９２２号に示されており（この出願はここに援用する）、チャンバ（ここでは図示せず）が分離壁で２つの別々の区画に分割され、そこに内視鏡の挿入チューブが通る。区画間の圧力差により、洗浄溶液が挿入チューブの管内を流れる。挿入チューブは壁の開口を貫き、この開口は特に洗浄プロセスの間一定の様式で開閉可能で、チューブの挿入を容易にし、さらに挿入チューブとの接触を変えることができ、洗浄プロセスの間完全に塞がれる部分がないようにする。
【００４４】
図４は、動物又は人間の体内に挿入する挿入チューブ２０２と挿入チューブ２０２の長さに延びる管２０４を有する、典型的な内視鏡２００の概略構造を示す図である。挿入チューブ２０２はハンドピース２０６に接続し、ハンドピース２０６は一般に管２０４に連結する１以上の穴２０８を有する。内視鏡２００又は他の器具を洗浄溶液で洗浄し濯いだ後、過酸化水素の前処理溶液を管に適用する。過酸化水素の前処理溶液を管内２０４に入れるのに多くの方法が使用できる。前記の洗浄装置を用いて、空気流と共に過剰に吹いて過酸化水素を管内に流すこともできる。別の方法では、過酸化水素をチャンバ２内に蒸気として入れ、内視鏡２００の上及びその管２０４内で凝縮させてもよい。管２０４内へスプレイすることもできる。少量しか必要でないので、内視鏡を例えば３％又は６％の過酸化水素溶液などの希釈過酸化水素前処理溶液に浸して、余分なものを払ってもよい。管２０４内の残存溶液で滅菌には十分である。前処理溶液は、チャンバ２内で内視鏡２００と共に管２０４に適用してもよいし、チャンバ２内に内視鏡２００を配置する前に管２０４に適用してもよい。
【００４５】
管２０４を前処理し、チャンバ２に内視鏡を配置した後、チャンバ２から過剰の過酸化水素溶液を排出して管２０４の外部に用いるより強い溶液を薄めないようにすることが望ましい。このことは、チャンバ２に気流を通して達成できる。この工程の間に第二のより強い過酸化水素溶液がチャンバ内にあってもよいが、好ましくは排出工程の後に加える。第二のより強い過酸化水素溶液を多くの様式でチャンバ２内に入れることができる。中にある容器又は窪みに入れてもよいし、バルブを開くなどチャンバとの間に流体が流れるようにして、チャンバ内に効果的に入る別の区画に入れてもよい。過酸化水素溶液がチャンバ２と液体で連通していれば、その溶液がチャンバ２内に入る。過酸化水素溶液は内視鏡２００と接触してよいが、接触する必要はない。好ましくは、第二のより強い過酸化水素溶液がチャンバ２内に入った後、バルブ４が開きポンプ６がチャンバ２から空気を引き、チャンバ２内の圧力を下げる。しかし、第二のより強い過酸化水素溶液は所望のチャンバ圧力にポンプダウンする間又はその後に、注入機（図示せず）などにより入れてもよい。
【００４６】
好ましくは、管２０４内の前処理溶液は水と１０％より低い、好ましくは６％の過酸化水素を含む。好ましくは、管２０４の外にあるチャンバ２内の第二のより強い溶液は、水と約５０％の過酸化水素を含む。しかし、溶液の濃度は種々の目的を達成するために変えることができる。例えば、管の外の溶液は５９％又は８０％のように高い濃度又は非常に高い濃度でよいが、このような溶液は高価で取り扱いにくい。５０％溶液で良好な効力が得られる。上記の多数の気化圧を用いて濃度を変えることもできる。
【００４７】
チャンバ２が所望の圧力（例えば、１０トル）に達したら、バルブ４を閉じて溶液が蒸発したらチャンバ圧力が少し上がるようにしてもよいし、絞って一定の圧力を維持してもよい。蒸発した過酸化水素が残って十分な時間内視鏡２００と接触し、内視鏡２００の外部と管２０４の両方を滅菌する。滅菌工程の終わり近くに又は終わりに、電磁場で過酸化水素分子を励起させるなどして、プラズマを用いて滅菌効果を高めてもよい。これにはプラズマを除いたときに、水と酸素だけが残り、残存過酸化水素はないという追加の利点もある。
【００４８】
本発明は、発明の詳細な説明の欄に記載された実施形態だけに限定されない。本発明の精神を有する全ての実施形態は、本発明の範囲内にあると考えるべきである。本発明は特許請求の範囲によってのみ限定される。
【００４９】
好ましい実施態様は以下の通りである。
（１）前記第一の液体滅菌剤溶液及び第二の液体滅菌剤溶液が過酸化水素と水を含む請求項１に記載の方法。
（２）前記第一の液体滅菌剤溶液の過酸化水素濃度が２０％より低い実施態様（１）に記載の方法。
（３）前記第一の液体滅菌剤溶液の過酸化水素濃度が１０％より低い実施態様（２）に記載の方法。
（４）前記第二の液体滅菌剤溶液の過酸化水素濃度が４０％より高い実施態様（１）に記載の方法。
（５）前記第二の液体滅菌剤溶液の過酸化水素濃度が５５％より高い実施態様（４）に記載の方法。
【００５０】
（６）前記チャンバ内の圧力を、初めに前記第二の液体滅菌剤溶液を選択的に蒸発させる第一の圧力範囲まで下げ、その後さらに、前記第一の液体滅菌剤溶液を蒸発させる第二のより低い圧力範囲まで下げる請求項１に記載の方法。
（７）前記チャンバ内の圧力を第二の液体滅菌剤溶液の蒸気圧より低い圧力まで下げる請求項１に記載の方法。
（８）前記チャンバ内の圧力を２０トル以下まで下げる実施態様（７）に記載の方法。
（９）前記チャンバ内の圧力を１０トル以下まで下げ、前記第一の液体滅菌剤溶液の過酸化水素濃度が１０％より低く、前記第二の液体滅菌剤溶液の過酸化水素濃度が４５％より高い実施態様（８）に記載の方法。
（１０）前記第一の濃度及び第二の濃度が、前記第一の液体滅菌剤溶液及び第二の液体滅菌剤溶液を同時に蒸発させる単一の圧力範囲までチャンバ圧力を下げることができるように、選択される請求項１に記載の方法。
【００５１】
（１１）前記単一の圧力範囲が第二の液体滅菌剤溶液の蒸気圧より低い実施態様（１０）に記載の方法。
（１２）前記単一の圧力範囲が２０トル以下である実施態様（１１）に記載の方法。
（１３）前記器具が医療器具であり、前記拡散限定区域が管を含む請求項１に記載の方法。
（１４）前記拡散限定区域を液体滅菌剤溶液に接触させる工程は、前記拡散限定区域の内側で蒸気から前記液体滅菌剤溶液を凝縮する工程を含む請求項１に記載の方法。
（１５）前記拡散限定区域を液体滅菌剤溶液に接触させる工程は、前記液体滅菌剤溶液の霧を前記拡散限定区域内に流す工程を含む請求項１に記載の方法。
【００５２】
（１６）さらに、前記拡散限定区域を第一の液体滅菌剤溶液と接触させ、前記器具を滅菌チャンバに配置する工程の後であるが、前記圧力を下げて前記第一の液体滅菌剤溶液及び第二の液体滅菌剤溶液を蒸発させる工程の前において、前記滅菌チャンバに空気を流して、過剰な前記第一の液体滅菌剤溶液を除く工程を含む請求項１に記載の方法。
（１７）さらに、前記蒸発工程の後に、過酸化水素をプラズマに励起させる工程を含む請求項１に記載の方法。
（１８）前記第一の液体滅菌剤溶液を蒸発させた後に、前記チャンバ圧力を上昇させ、その後に圧力を下げて第二の液体滅菌剤溶液を前記チャンバに導入する請求項１に記載の方法。
【００５３】
【発明の効果】
以上述べたように、本発明によれば細長い管のように蒸気の拡散が限定される区域を有する物品を、簡単で効果的に蒸気滅菌する方法を提供できる効果がある。
【図面の簡単な説明】
【図１】本発明の過酸化水素滅菌方法に使用するチャンバと付属品の概略を示す図である。
【図２】本発明の過酸化水素滅菌方法に使用するチャンバ、ポンプ及びスロットルバルブの概略を示す図である。
【図３】実施例に使用するテスト管の概略を示す図である。
【図４】本発明の方法を使用して滅菌する内視鏡を示す斜視図である。
【符号の説明】
２  滅菌チャンバ
１０  結腸鏡（器具）
２００  内視鏡（器具）
２０４  管（拡散限定区域）
【図１】
0004302237.tif 000010
【図２】
0004302237.tif 000011
【図３】
0004302237.tif 000012
【図４】
0004302237.tif 000013